(57)【要約】【課題】ワイヤ部材を保持可能なワイヤ通し孔を備えている場合であっても、パネル部材に対して装着力を向上させたクリップを提供することを課題とする。【解決手段】ワイヤ部材Ｗを保持可能なワイヤ通し孔１２を備えた頭体１０と、この頭体１０を支える胴体２０と、この胴体２０をパネル部材６４の取付孔６６に装着可能な係止手段３０とを備えており、パネル部材６４にワイヤ部材Ｗを取り付けるためのクリップ１であって、胴体２０は、一体的に構成されており、ワイヤ通し孔１２は、その半径方向において、孔の内部と孔の外部とが非連通状態となっている。【選択図】図１
2010090906.tif 000002
【特許請求の範囲】
【請求項１】
ワイヤ部材を保持可能なワイヤ通し孔を備えた頭体と、
この頭体を支える胴体と、
この胴体をパネル部材の取付孔に装着可能な係止手段とを備えており、
パネル部材にワイヤ部材を取り付けるためのクリップであって、
胴体は、一体的に構成されており、
ワイヤ通し孔は、その半径方向において、孔の内部と孔の外部とが非連通状態となっていることを特徴とするクリップ。
【請求項２】
請求項１に記載のクリップであって、
ワイヤ通し孔の内周面には、その周方向に均等な間隔で複数のリブが形成されていることを特徴とするクリップ。
【請求項３】
請求項１〜２のいずれか１項に記載のクリップであって、
ワイヤ通し孔の内周面には、ワイヤ部材の差し込み方向に沿ってスリットが形成されていることを特徴とするクリップ。
【発明の詳細な説明】
【技術分野】
【０００１】
本発明は、クリップに関し、詳しくは、パネル部材にワイヤ部材を取り付けるためのクリップに関する。
【背景技術】
【０００２】
この種のクリップとして、例えば、特許文献１に開示されている技術が既に知られている。この技術では、図８に示すように、クリップ１０１は、シートバックのパッドを支えるワイヤ部材である屈曲ばね（図示しない）を保持可能なワイヤ通し孔１１２を備えた頭体１１０と、この頭体１１０を支える胴体１２０と、この胴体１２０をパネル部材であるプレートの取付孔（いずれも図示しない）に装着可能な係止手段１３０とから構成されている。そして、胴体１２０に形成されているスリット１２２を介して屈曲ばねをワイヤ通し孔１１２に挟み込む格好となるように保持させ、その保持状態で係止手段１３０によって、胴体１２０をプレートに装着可能となっている。このようにして、クリップ１０１を使用して、プレートに屈曲ばねを取り付けることができる。
【特許文献１】米国特許第５７６２３９７号明細書
【発明の開示】
【発明が解決しようとする課題】
【０００３】
しかしながら、上述したクリップ１０１では、一対の脚体１４０、１４０と、一対の腕体１５０、１５０とから構成される係止手段１３０のうち、一対の脚体１４０、１４０に作用する撓みの反力を利用して胴体１２０をプレートに装着させている。このとき、反力が作用する方向に対する逆方向にはスリット１２２が存在するため、このスリット１２２によって反力が逃げる状態にも成り得てしまい、結果として、クリップ１０１の装着力が弱まってしまうという問題が発生することがあった。
【０００４】
本発明は、このような課題を解決しようとするもので、その目的は、ワイヤ部材を保持可能なワイヤ通し孔を備えている場合であっても、パネル部材に対して装着力を向上させたクリップを提供することを課題とする。
【課題を解決するための手段】
【０００５】
本発明は、上記の目的を達成するためのものであって、以下のように構成されている。請求項１に記載の発明は、ワイヤ部材を保持可能なワイヤ通し孔を備えた頭体と、この頭体を支える胴体と、この胴体をパネル部材の取付孔に装着可能な係止手段とを備えており、パネル部材にワイヤ部材を取り付けるためのクリップであって、胴体は、一体的に構成されており、ワイヤ通し孔は、その半径方向において、孔の内部と孔の外部とが非連通状態となっていることを特徴とする。
この構成によれば、従来技術で説明したクリップのようにスリットが存在しないため、例えば、係止手段が一対の脚体と一対の腕体とから構成されており、一対の脚体の両先端を互いに近づく方向へ撓ませ、その撓みの反力を利用して胴体をパネル部材の取付孔に装着している場合であっても、その反力の逃げを防止することができる。したがって、パネル部材に対してクリップの装着力を向上させることができる。
【０００６】
また、請求項２に記載の発明は、請求項１に記載のクリップであって、ワイヤ通し孔の内周面には、その周方向に均等な間隔で複数のリブが形成されていることを特徴とする。
この構成によれば、ワイヤ部材の外径にバラツキが生じている場合でも、そのバラツキを吸収した状態でワイヤ部材をクリップに保持させることができる。
【０００７】
また、請求項３に記載の発明は、請求項１〜２のいずれか１項に記載のクリップであって、ワイヤ通し孔の内周面には、ワイヤ部材の差し込み方向に沿ってスリットが形成されていることを特徴とする。
この構成によれば、ワイヤ部材をワイヤ通し孔に挿し込むとき、スリットによってワイヤ通し孔の内径が拡張されるため、ワイヤ部材を挿し込みやすい。
【発明を実施するための最良の形態】
【０００８】
以下、本発明を実施するための最良の形態を、図１〜７を用いて説明する。図１は、クリップの全体斜視図である。図２は、図１の正面図である。図３は、図１の右側面図である。図４は、クリップの装着前の状態を示す説明図である。図５は、クリップの装着途中の状態を示す説明図である。図６は、クリップの装着完了の状態を示す説明図である。図７は、クリップの使用例を示す説明図である。
【０００９】
まず、図１〜３を参照して、クリップ１を説明する。これらの図からも明らかなように、このクリップ１は、大きく分けて、頭体１０と、胴体２０および係止手段３０とから構成されている。以下に、これら各構成部材１０、２０、３０を個別に説明していく。
【００１０】
はじめに、頭体１０から説明する。この頭体１０は、ワイヤ部材（図１〜３において、図示しない）を保持する部材である。そのため、この頭体１０は、ワイヤ部材を保持可能なワイヤ通し孔１２を備えた構造となっている。このワイヤ通し孔１２は、その孔にワイヤ部材の端部を貫通させることで保持させる構造となっている。そのため、ワイヤ通し孔１２は、その半径方向において、孔の内部と孔の外部とが非連通状態となっている。また、ワイヤ通し孔１２の内周面には、その周方向に均等な間隔で３個のリブ１４がそれぞれ形成されている。また、ワイヤ通し孔１２の内周面には、ワイヤ部材の差し込み方向に沿ってスリット１６が形成されている。
【００１１】
次に、胴体２０を説明する。この胴体２０は、上述した頭体１０を支える部材であり、パネル部材の取付孔に挿し込まれる格好となる部材である。また、この胴体２０は、一体的に構成されている。すなわち、この胴体２０は、従来技術で説明した１２０のように、スリット１２２を介して分割される構成ではない。
【００１２】
続いて、係止手段３０を説明する。この係止手段３０は、上述した胴体２０をパネル部材の取付孔に挿し込んで、クリップ１をパネル部材に装着させる部材である。そのため、この係止手段３０は、一対の脚体４０、４０と、一対の腕体５０、５０とを備えた構造となっている。
【００１３】
この係止手段３０のうち、一対の脚体４０、４０は、パネル部材の取付孔に係合させる部材である。そのため、この一対の脚体４０、４０は、胴体２０の先端から胴体の軸を中心に対称となる方向に向けて折り返す格好となるようにそれぞれ形成されている。また、この一対の脚体４０、４０は、その両先端が互いに近づく方向へ撓み変形が可能な構造となっている。また、この一対の脚体４０、４０は、その両先端側の厚みが薄くなるように段差部４２がそれぞれ形成されている。
【００１４】
一方、一対の腕体５０、５０は、自身と一対の脚体４０、４０の両段差部４２との間でパネル部材を挟み込むことで一対の脚体４０、４０がパネル部材の取付孔に係合した状態から脱落することを防止するための部材である。そのため、この一対の腕体５０、５０は、胴体２０の基端から両段差部４２とそれぞれ向かい合う格好となるように互いに遠ざかる方向に向けて形成されている。また、この一対の腕体５０、５０は、その両先端側が下方に向けて垂れる格好を成すように形成されている。また、この一対の腕体５０、５０は、その両先端がそれぞれ上方へ向けて撓み変形可能な構造となっている。
【００１５】
なお、これら各構成部材１０、２０、３０（４０、５０）は、剛性を有する合成樹脂によって一体成形されている。すなわち、クリップ１は、一体成形品で構成されている。
【００１６】
続いて、図４〜７を参照して、上述した構成から成るクリップ１の使用手順を説明する。この説明にあたって、クリップ１を使用して、シートバック６０のバックフレーム６２のプレート６４にパッド部材（図示しない）を支える屈曲ばねＷを取り付ける例を説明することとする。
【００１７】
まず、図４に示すように、屈曲ばねＷの一端をクリップ１のワイヤ通し孔１２に挿し込んで、屈曲ばねＷをクリップ１に保持させる。次に、この状態から、クリップ１の胴体２０の先端側をプレート６４の取付孔６６へ向けて押し込んでいく。すると、図５に示すように、クリップ１の一対の脚体４０、４０は、互いに近づく方向へ向けて撓みはじめる。
【００１８】
この撓み状態のまま、さらに、押し込んでいき、一対の脚体４０、４０の両張り出し部４４がプレート６４の取付孔６６を乗り越えると、図６に示すように、上述した撓みの反力によって、一対の脚体４０、４０の両先端がプレート６４の取付孔６６の内周面を押し当てる。これにより、クリップ１がプレート６４の取付孔６６に係合した状態に保持される。
【００１９】
このとき、プレート６４の両面は、一対の脚体４０、４０の両段差部４２と一対の腕体５０、５０とによって挟み込まれる格好となるため、クリップ１がプレート６４の取付孔６６に係合した状態から脱落することを防止できる。また、このとき、クリップ１の一対の腕体５０、５０の両先端側は、プレート６４の表面に押し付けられる格好となっている。そのため、この押し付けの反力によってプレート６４の板厚方向においても、クリップ１をしっかりと保持することができる。このようにクリップ１を使用して、シートバック６０のバックフレーム６２のプレート６４にパッド部材を支える屈曲ばねＷを取り付けることができる（図７参照）。
【００２０】
本発明の実施例に係るクリップ１は上述したように構成されている。この構成によれば、従来技術で説明したクリップ１０１のようにスリット１２２が存在しないため、一対の脚体１４０、１４０に作用する撓みの反力の逃げを防止することができる。したがって、プレート６４に対してクリップ１の装着力を向上させることができる。
【００２１】
また、この構成によれば、ワイヤ通し孔１２の内周面には、３個のリブ１４が形成されているため、屈曲ばねＷの外径にバラツキが生じている場合でも、そのバラツキを吸収した状態で屈曲ばねＷをクリップ１に保持させることができる。
【００２２】
また、この構成によれば、ワイヤ通し孔１２の内周面には、ワイヤ部材である屈曲ばねＷの差し込み方向に沿ってスリット１６が形成されているため、屈曲ばねＷをワイヤ通し孔１２に挿し込むとき、スリット１６によってワイヤ通し孔１２の内径が拡張されるため、屈曲ばねＷを挿し込みやすい。
【００２３】
上述した内容は、あくまでも本発明の一実施の形態に関するものであって、本発明が上記内容に限定されることを意味するものではない。
実施例では、屈曲ばねＷをクリップ１に保持させる場合を説明した。しかし、これに限定されるものでなく、例えば、ケーブル部材をクリップ１に保持させる場合であっても構わない。
【図面の簡単な説明】
【００２４】
【図１】図１は、クリップの全体斜視図である。
【図２】図２は、図１の正面図である。
【図３】図３は、図１の右側面図である。
【図４】図４は、クリップの装着前の状態を示す説明図である。
【図５】図５は、クリップの装着途中の状態を示す説明図である。
【図６】図６は、クリップの装着完了の状態を示す説明図である。
【図７】図７は、クリップの使用例を示す説明図である。
【図８】図８は、従来のクリップの全体斜視図である。
【符号の説明】
【００２５】
１      クリップ
１０    頭体
１２    ワイヤ通し孔
１４    リブ
１６    スリット
２０    胴体
３０    係止手段
４０    脚体
５０    腕体
６４    プレート（パネル部材）
６６    取付孔
Ｗ      屈曲ばね（ワイヤ部材）
【図１】
2010090906.tif 000003
【図２】
2010090906.tif 000004
【図３】
2010090906.tif 000005
【図４】
2010090906.tif 000006
【図５】
2010090906.tif 000007
【図６】
2010090906.tif 000008
【図７】
2010090906.tif 000009
【図８】
2010090906.tif 000010